(57)【要約】【課題】食品類等の臭気だけでなく、床下収納庫内の内装建材等から発生する臭気やホルムアルデヒド、ＶＯＣ等を確実に除去するとともに、一定期間毎に空気清浄装置の空気浄化要素をほとんど取替える必要のない床下収納庫用空気清浄装置を提供する。【解決手段】床下収納庫の上部開口を塞ぐ開閉蓋４の裏側に取付けられたカバー７の内側に、中央に開口部が設けられたユニット取付け台２１を設置し、上記開口部の下側に、有機物を分解して無害化する光触媒脱臭ユニット２０を取付けるとともに、この光触媒脱臭ユニット２０の下側に設置されたファン５０を回転させて、床下収納庫内の空気Ａを、上記光触媒脱臭ユニット２０を介して循環させるようにした。【選択図】        図３
2004187987.tif 000002
【特許請求の範囲】
【請求項１】
床下収納庫内の空気を清浄化する床下収納庫用空気清浄装置において、庫内の空気を、有機物を分解して無害化する光触媒脱臭ユニットを介して循環させるようにしたことを特徴とする床下収納庫用空気清浄装置。
【発明の詳細な説明】
【０００１】
【発明の属する技術分野】
本発明は、床下収納庫内の空気を清浄化する床下収納庫用空気清浄装置に関するもので、特に、床下収納庫内の内装建材等から発生する臭気やＶＯＣ等の生活空間汚染物質を排除するための空気清浄装置に関する。
【０００２】
【従来の技術】
従来、図５，図６に示すような、床下収納庫用空気清浄装置１０が公知である。この床下収納庫用空気清浄装置１は、マンションとか木造家屋等の床２の下に設けた床下収納庫３の上部開口３ａを塞ぐ開閉蓋４の裏側に設けられるもので、ファン５と脱臭フィルタ６と、このファン５と脱臭フィルタ６とを被うように開閉蓋４の裏側に取付けられるカバー７とを有する。上記カバー７には、図６に示す空気の循環路Ｓを形成する図外の孔が形成されている。
上記ファン５のスイッチ８をオンして通電することにより、空気の循環路Ｓが形成されて、床下収納庫３内の食品類９等のために臭気を帯びた空気がカバー７内吸い込まれ、脱臭フィルタ６を経由して床下収納庫３内に排気される。この吸入・排気によって上記臭気が脱臭フィルタ６により除去されるので、常に床下収納庫３内の空気を浄化できる。上記脱臭フィルタ６としては、活性炭等の脱臭剤等が用いられる（例えば、特許文献１参照）。
【０００３】
【特許文献１】
実開昭６１−２８８４０号公報
【０００４】
【発明が解決しようとする課題】
しかしながら、上記活性炭等の脱臭剤は、臭気の成分を単に吸着するのみであるので、食品類９等の臭気を十分に除去することができないだけでなく、床下収納庫３内の内装建材等から発生する臭気やホルムアルデヒド、ＶＯＣ等の生活空間汚染物質を除去することが困難であった。また、従来の床下収納庫用空気清浄装置１０では、脱臭フィルタ６内の脱臭剤が経年劣化することから、一定の期間使用する毎にカバー７を取外して新しいものを購入して交換しなければならず、このことは、家庭の主婦等にとっては煩わしい事となっている。
【０００５】
本発明は、従来の問題点に鑑みてなされたもので、食品類等の臭気だけでなく、床下収納庫内の内装建材等から発生する臭気やホルムアルデヒド、ＶＯＣ等を確実に除去するとともに、一定期間毎に空気清浄装置の空気浄化要素をほとんど取替える必要のない床下収納庫用空気清浄装置を提供する事を目的とする。
【０００６】
【課題を解決するための手段】
発明者は鋭意検討の結果、上記臭気の成分やホルムアルデヒド、ＶＯＣ（揮発性有機化合物）等をを捕獲するだけではなく、これを分解して無害化することにより、床下収納庫内を確実に清浄化できることを見いだし、本発明に到ったものである。
すなわち、本発明の請求項１に記載の床下収納庫用空気清浄装置は、床下収納庫内の空気を、有機物を酸化分解する光触媒脱臭ユニットを介して循環させるように構成したことを特徴とするもので、これにより、食品類等からの臭気だけでなく、収納庫内の内装建材等から発生する臭気やホルムアルデヒド、ＶＯＣ等の生活空間汚染物質も分解して除去することが可能となる。
また、上記光触媒脱臭ユニットは、上記臭気の成分を分解する機能を有するものであるので、交換の必要もほとんどなく、交換の煩わしさがなくなるという利点を有する。
【０００７】
【発明の実施の形態】
以下、本発明の実施の形態について、図面に基づき説明する。
図１乃至図４は、本発明による床下収納庫用空気清浄装置１の一実施の形態を示す図であり、図５，図６と同じものは同一符号を用いている。
各図において、開閉蓋４の裏側に取付けられるカバー７の内側には、ユニット取付け台２１が設けられる。このユニット取付け台２１の中央には開口部２１ａが設けられ、この開口部２１ａの下側に、有機物を分解して無害化する光触媒脱臭ユニット２０が取付けられ、この光触媒脱臭ユニット２０の下側に図外の取付け手段でファン５０が取付けられる。カバー７の底部及び側面には、孔７ａ，７ｂが形成され、ファン５０の回転によって空気Ａが、孔７ａ，光触媒脱臭ユニット２０，ユニット取付け台の開口部２１ａ，孔７ｂの経路で循環する。このように、空気Ａは下中央から外方向に拡散される。
したがって、臭気を含む空気Ａは、上記経路を循環する過程で、光触媒脱臭ユニット２０により、臭気成分が分解・除去されて清浄化される。しかも、清浄化された空気は拡散されるので、庫内全体の脱臭を行うことができる。
【０００８】
ここで、上記光触媒脱臭ユニット２０について説明する。
光触媒による臭気、ホルムアルデヒド、ＶＯＣなどの有機物の分解手法としては、紫外線を照射する方法（紫外線照射型）、放電を行う方法（放電型）、または、可視光による分解を行う方法（可視光応答型）の３方法がある。本光触媒脱臭ユニット２０では、光触媒による有機物分解方法として上記３種のいずれかの分解方法、及び、各分解方法に適した光触媒の使用が可能である。
図４は、紫外線照射型の光触媒を使用したときの光触媒脱臭ユニット２０を示す図で、この光触媒脱臭ユニット２０は、プレフィルター２０ａ、紫外線ランプ２０ｂ、光触媒２０ｃの基本構成となる。
なお、上記光触媒脱臭ユニット２０のコントロールボックス４ｍは、開閉蓋４上部に埋設させておくようにすれば、開閉蓋４を開けることなく、装置のコントロールができる。また、上記光触媒脱臭ユニット２０の駆動電源は小型電池またはＡＣ電源とする。小型電池の場合は、蓄電池の収納部を開閉蓋４上部に埋設しておけば、開閉蓋４を開けることなく、交換作業ができる。
【０００９】
上記光触媒脱臭ユニット２０は、例えば、アンモニア、メチルメルカプタン、トリメチルアミン、エチレンなどのような一般的な臭気だけでなく、床下収納庫３内の内装建材等から発生するホルムアルデヒド、ＶＯＣなどの室内空気汚染物質を効果的に脱臭することが確認されている。
【００１０】
【発明の効果】
以上説明したように、本発明によれば、庫内の空気を、有機物を分解して無害化する光触媒脱臭ユニットを介して循環させるようにしたので、食品類等からの臭気だけでなく、収納庫内の内装建材等から発生する臭気やホルムアルデヒド、ＶＯＣ等も分解して除去することができる。また、ユニットの半永久的使用が可能となり、清浄化要素を煩雑に交換するという煩わしさから、居住者を解放できる効果を有する。
【図面の簡単な説明】
【図１】本発明の実施の形態に係る床下収納庫用空気清浄装置の分解斜視図である。
【図２】本実施の形態に係る床下収納庫を示す図である。
【図３】本実施の形態に係る床下収納庫用空気清浄装置を示す図である。
【図４】本実施の形態に係る光触媒脱臭ユニットを示す図である。
【図５】従来の床下収納庫を示す図である。
【図６】従来の床下収納庫用空気清浄装置の詳細を示す図である。
【符号の説明】
１，１０  床下収納庫用空気清浄装置、２  床、３  床下収納庫、
３ａ  上部開口、４  開閉蓋、４ｍ  コントロールボックス、
７  カバー、７ａ，７ｂ  孔、２０  光触媒脱臭ユニット、
２１  ユニット取付け台、２１ａ  開口部、５０  ファン、Ａ  空気。
【図１】
2004187987.tif 000003
【図２】
2004187987.tif 000004
【図３】
2004187987.tif 000005
【図４】
2004187987.tif 000006
【図５】
2004187987.tif 000007
【図６】
2004187987.tif 000008